(57)【特許請求の範囲】
【請求項１】
液晶パネルと、
前記液晶パネルの縁を取り囲むフレームと、を備え、
前記フレームの下辺部は前記液晶パネルの下縁が載せられる支持部を含み、
前記支持部は前記液晶パネルの厚さよりも大きな幅を有し、
前記液晶パネルの前記下縁は前記支持部の上面に貼り付けられている、
ことを特徴とする液晶表示装置。
【請求項２】
請求項１に記載の液晶表示装置において、
前記支持部の上面に接着面が設けられ、前記液晶パネルの前記下縁は前記接着面上に配置されている、
ことを特徴とする液晶表示装置。
【請求項３】
請求項２に記載の液晶表示装置において、
前記フレームは、前記支持部として、前記液晶パネルの下縁に沿った方向において互いに離れて位置する複数の支持部を有し、
前記接着面は前記複数の支持部のそれぞれに設けられている、
ことを特徴とする液晶表示装置。
【請求項４】
請求項１に記載の液晶表示装置において、
前記液晶パネルの前記下縁は、前記支持部上に配置された取付部材を介して、前記支持部の前記上面に貼り付けられており、
前記取付部材は、前記液晶パネルに接着する第１の面と、前記支持部に接着する第２の面とを有し、前記第１の面と前記第２の面の間に、前記第１の面と前記第２の面との位置ずれを許容する、柔軟性を有する材料を有している、
ことを特徴とする液晶表示装置。
【請求項５】
液晶パネルと、
前記液晶パネルの縁を取り囲むフレームと、を備え、
前記フレームの下辺部は前記液晶パネルの下縁を支持する支持部を含み、
前記支持部は前記液晶パネルの厚さよりも大きな幅を有し、
前記液晶パネルの前記下縁は、前記支持部上に配置された取付部材を介して、前記支持部の上面に配置されており、
前記取付部材は、柔軟性を有する弾性体と、前記支持部に接着される接着面を有し、
前記液晶パネルは、前記取付部材に沈み込むように配置されている、
ことを特徴とする液晶表示装置。
【発明の詳細な説明】
【技術分野】
【０００１】
本発明は液晶表示装置の液晶パネルをフレームで支持する構造に関する。
【背景技術】
【０００２】
液晶表示装置は液晶パネルと当該液晶パネルの縁を取り囲むフレームとを有している（例えば、下記特許文献１）。テレビジョン（ＴＶ）などとして利用される液晶表示装置では、液晶パネルはその表示面が前方に向くように立った状態で支持され、液晶パネルの下縁はフレームの下辺部に形成された支持部に載せられている。
【先行技術文献】
【特許文献】
【０００３】
【特許文献１】特開２００５−２７５１０３号公報
【発明の概要】
【発明が解決しようとする課題】
【０００４】
ＴＶなどで用いられる液晶パネルは、フレームに組みつけられ、ディスプレイモジュールを形成する。この際、ＩＰＳ（Ｉｎ−Ｐｌａｎｅ−Ｓｗｉｔｃｈｉｎｇ）方式の液晶パネルは、その特性上、フレームに密着して組み付けることは出来ない。液晶パネルをフレームに組み付ける際に、液晶パネルに対して不均等な応力が加わると、色むらの原因となるからである。また、液晶パネルは、多くの場合、僅かな反りを有している。このため、反りを有する液晶パネルを、応力を作用させることなく、フレームの支持部に載せることができるように、フレームの支持部の幅は液晶パネルの厚さよりも僅かに大きい必要がある。
【０００５】
しかしながら、そういった構造では、パネル表面の最下部（特に、左右の端部）が押されたときに、当該液晶パネルが歪み、液晶パネルの下縁が支持部に対して動く。その時、液晶パネルに応力が作用するため表示面に色むらが生じる。この場合、押圧が解除されたときに、液晶パネルの下縁が戻ることができれば、色むらは解消される。
【０００６】
ところが、近年のＴＶ用の液晶パネルは大型化が進み、大型の液晶パネルでは重量が増加する傾向にあるため、液晶パネルの自重によってフレームの支持部と液晶パネル間の摩擦力が増加している。そのため、パネル表面の最下部が押された時、液晶パネルの下縁が、フレームの支持部に引っ掛かって戻らない場合があり、その場合、色むらが生じたままとなる。
【０００７】
本発明は、上記課題に鑑みてなされたものであって、その目的は、液晶パネルの歪みに起因する色むらの発生を抑えることのできる液晶表示装置を提供することになる。
【課題を解決するための手段】
【０００８】
上記課題を解決するために、本発明に係る液晶表示装置は、液晶パネルと、前記液晶パネルの縁を取り囲むフレームと、を備える。前記フレームの下辺部は前記液晶パネルの下縁が載せられる支持部を含み、前記支持部は前記液晶パネルの厚さよりも大きな幅を有し、前記液晶パネルの前記下縁は前記支持部の上面に貼り付けられている。
【０００９】
本発明によれば、液晶パネルの表面の最下部が押圧されたときに液晶パネルの下縁が支持部の上面に対して動くことを、抑えることができる。その結果、摩擦力によって下縁が支持部に引っ掛かって戻らなくなるという事態を防止でき、液晶パネルの歪みに起因する色むらの発生を抑えることができる。
【００１０】
本発明の一態様では、前記支持部上に接着面が設けられ、前記液晶パネルの前記下縁は前記接着面上に配置されてもよい。この態様によれば、液晶パネルを支持部に容易に貼り付けることができる。
【００１１】
また、この態様においては、前記フレームは、前記支持部として、前記液晶パネルの下縁に沿った方向において互いに離れて位置する複数の支持部を有し、前記接着面は前記複数の支持部のそれぞれに設けられてもよい。こうすることによって、液晶パネルの下縁の動きをさらに頑強に規制できるようになる。
【００１２】
また、本発明の他の態様においては、前記液晶パネルの前記下縁は、前記支持部上に配置された取付部材を介して、前記支持部の前記上面に貼り付けられてもよい。そして、前記取付部材は、前記液晶パネルに接着する第１の面と前記支持部に接着する第２の面とを有し、前記第１の面と前記第２の面との位置ずれを許容する、柔軟性を有する材料で形成されてもよい。こうすることによって、液晶表示装置の使用によって発生する熱によって液晶パネルが変形した場合に、その変形が許容され易くなり、液晶パネルに応力が生じるのを抑えることができる。その結果、熱によって液晶パネルが僅かに変形した場合であっても、色むらの発生を抑えることができる。
【００１３】
また、本発明の他の態様においては、液晶表示装置は、液晶パネルと、前記液晶パネルの縁を取り囲むフレームと、を備える。前記フレームの下辺部は前記液晶パネルの下縁が載せられる支持部を含み、前記支持部は前記液晶パネルの厚さよりも大きな幅を有し、前記液晶パネルの前記下縁は、前記支持部上に配置された取付部材を介して、前記支持部の前記上面に配置される。前記取付部材は、柔軟性を有する弾性体と、前記支持部に接着する接着面とを有する。この態様によれば、液晶パネルの下縁が取付部材に沈み込むように配置され得るので、液晶パネルの表面の最下部が押圧されたときに液晶パネルの下縁が支持部の上面に対して動くことを規制することができる。また、多少液晶パネルがずれた場合であっても、弾性体の弾性力によって液晶パネルを元の位置に戻すことが可能となる。
【図面の簡単な説明】
【００１４】
【図１】本発明の一実施形態に係る液晶表示装置の最下部の断面を斜めから臨む図である。
【図２】上記液晶表示装置が有する液晶パネルと支持フレームとフロントフレームの分解斜視図である。
【図３】上記支持フレーム及び液晶パネルの一部の正面図であり、同図においては支持フレーム及び液晶パネルの右下部分が拡大して示されている。
【図４】本発明の他の実施形態に係る液晶表示装置の最下部の断面である。
【発明を実施するための形態】
【００１５】
以下、本発明の一実施形態について図面を参照して説明する。図１は本発明の実施形態の例である液晶表示装置１の最下部の断面を斜めから臨む図である。図２は液晶表示装置１が有する液晶パネル２と支持フレーム４とフロントフレーム５の分解斜視図である。図３は支持フレーム４及び液晶パネル２の一部の正面図であり、同図においては支持フレーム４及び液晶パネル２の右下部分が拡大して示されている。
【００１６】
図１に示すように、液晶表示装置１は液晶パネル２を有している。液晶パネル２は、図２で示されるように、矩形状をしている。液晶表示装置１は、その表示面（前面）が前方に向くように、液晶パネル２を立てた状態で支持している。液晶表示装置１は例えばテレビジョンの表示装置である。
【００１７】
液晶パネル２は、光透過性を有する一対の基板（具体的にはガラス基板）２１を有している。一方の基板２１はＴＦＴ（Ｔｈｉｎ  Ｆｉｌｍ  Ｔｒａｎｓｉｓｔｏｒ）が形成されたＴＦＴ基板であり、他方の基板２１にはカラーフィルタが形成されている。２つの基板２１は僅かな間隔を空けて、互いに向き合うように配置されている。２つの基板２１の間に液晶２２が封入されている。この例の液晶２２はＩＰＳ（Ｉｎ−Ｐｌａｎｅ−Ｓｗｉｔｃｈｉｎｇ）方式で駆動される。液晶パネル２は、互いに間隔を空けて位置する２つの偏光フィルタ２３をさらに有している。一対の基板２１は２つの偏光フィルタ２３の間に位置し、偏光フィルタ２３は基板２１の表面にそれぞれ貼り付けられている。なお、偏光フィルタ２３の縦幅は基板２１の縦幅よりも小さくなっており、基板２１の最下部は偏光フィルタ２３の下縁を下方に越えて位置している。
【００１８】
図１に示すように、液晶表示装置１は、液晶パネル２の裏面側に配置され当該液晶パネル２に光を当てるバックライトユニット３を有している。バックライトユニット３は、光源（不図示）の光を液晶パネル２に反射する反射シート３１と、光源からの光及び反射シート３１で反射した光を拡散する拡散板３２と、光学シート３３と、光源や反射シート３１を保持する下フレーム３４を有している。
【００１９】
さらに、液晶表示装置１は、図１又は図２に示すように、液晶パネル２の外周に対応した大きさの四角い支持フレーム４とフロントフレーム５とを有している。支持フレーム４とフロントフレーム５は、液晶パネル２の厚さ方向で互いに組み合わされ、液晶パネル２の外周縁を取り囲んでいる。なお、支持フレーム４は例えば樹脂によって成型されている。
【００２０】
図１又は図３に示すように、支持フレーム４は下辺部４１を有している。下辺部４１は液晶パネル２の下縁（一対の基板２１の下縁）２ａに沿って位置し、且つ、下縁２ａの一方の端部から他方の端部まで伸びている。下辺部４１は後壁部４１ａと支持部４１ｂとを有している。後壁部４１ａは液晶パネル２の裏面に沿うように形成されている。すなわち、後壁部４１ａの一方の面と液晶パネル２の裏面は、液晶パネル２の厚さ方向で互いに向き合っている。支持部４１ｂは後壁部４１ａから前方に突出するよう形成され（図２参照）、その上面は液晶パネル２の下縁（下端面）２ａと上下方向で向き合っている。
【００２１】
図１又は図３に示すように、液晶パネル２の下縁２ａは支持部４１ｂに載せられ、支持部４１ｂによって支持されている。支持部４１ｂの上面は、液晶パネル２の下縁に沿った方向（左右方向（Ｘ１−Ｘ２の示す方向））に細長く、且つ水平に形成されている。また、支持部４１ｂは、図３に示されるように、液晶パネル２の下縁２ａの端部近辺のみに形成される。図３には図示されていないが、液晶パネル２の下縁２ａの反対側の端部にも支持部４１ｂが形成されている。なお、支持部４１ｂの上面は水平でなくてもよい。例えば、支持部４１ｂの上面は上方に膨らむように湾曲していてもよい。こうすることで、支持部４１ｂと液晶パネル２の下縁２ａとの接触領域を小さくできる。
【００２２】
下辺部４１は左右方向に互いに離れて位置する複数（ここでは２つ）の支持部４１ｂを有し、液晶パネル２の下縁２ａは部分的に支持部４１ｂによって支持されている。この例では、２つの支持部４１ｂは下辺部４１の両端部に設けられ、液晶パネル２の下縁２ａの右端及び左端をそれぞれ支持している。液晶パネル２の下縁２ａはこの２つの支持部４１ｂのみで支持されている。換言すると、２つの支持部４１ｂの間の部分は、液晶パネル２の下縁２ａに当っていない。
【００２３】
図２又は図３に示すように、支持フレーム４は、液晶パネル２の上縁、右縁及び左縁に沿って位置する上辺部４２、右辺部４３及び左辺部４４をさらに有している。これらの辺部４２，４３，４４はそれぞれ後壁部４ａを有している。後壁部４ａは、下辺部４１の後壁部４１ａと同様に、液晶パネル２の裏面に沿うように形成されている。また、各辺部４２，４３，４４は外壁部４ｂを有している。外壁部４ｂは、全体として、液晶パネル２の外周縁（端面（液晶パネル２の厚さを規定する面）を取り囲み、面内方向（上下方向又は左右方向）で外周縁と向き合っている。
【００２４】
図１又は図３に示すように、後壁部４１ａと全ての後壁部４ａとには弾性材料によって形成された細長いクッション４６が設けられている。クッション４６は後壁部４１ａ，４ａの液晶パネル２側の面に貼り付けられている。クッション４６は液晶パネル２の裏面と後壁部４ａ，４１ａの間に位置し、液晶パネル２が直接的に後壁部４ａ，４１ａに当ることを防ぐ。また、各クッション４６は、液晶パネル２の表面の外周部が押されたときに、液晶パネル２の外周部を元の位置に戻す力を発揮する。
【００２５】
図１及び図２に示すように、フロントフレーム５と支持フレーム４は、液晶パネル２の外周部を挟むようにして、互いに取り付けられている。フロントフレーム５の各辺は略Ｌ字状の断面を有するように形成されており、前壁部５ａと前壁部５ａの縁で折れ曲がった外壁部５ｂとを有している。前壁部５ａは液晶パネル２の前面（表示面）と液晶パネル２の厚さ方向で向き合っている。外壁部５ｂは支持フレーム４の外壁部４ｂの外側に配置され、支持フレーム４の外周面を取り囲んでいる。
【００２６】
図１に示すように、フロントフレーム５の各辺の前壁部５ａにも弾性材料によって形成された細長いクッション５１が設けられている。クッション５１は前壁部５ａの液晶パネル２側の面に貼り付けられている。クッション５１は液晶パネル２の表面と前壁部５ａの間に位置し、液晶パネル２が直接的に前壁部５ａに当ることを防ぐ。
【００２７】
図１に示すように、フロントフレーム５の前壁部５ａと支持フレーム４の後壁部４ａ，４１ａとの間には隙間が設けられている。液晶パネル２の外周部は、後壁部４ａ，４１ａと、前壁部５ａとの間に配置されている。前壁部５ａと後壁部４ａ，４１ａとの間隔は液晶パネル２の厚さよりも大きくなっている。すなわち、フロントフレーム５が支持フレーム４に取り付けられたとき、前壁部５ａは支持部４１ｂと外壁部４ｂとに当接するため、前壁部５ａと後壁部４ａ，４１ａとの間隔は、支持部４１ｂの幅（液晶パネル２の厚さ方向での幅）と外壁部４ｂの幅（同じく、厚さ方向での幅）とによって規定される。支持部４１ｂと外壁部４ｂの幅は、液晶パネル２の厚さよりも大きくなっている。そのため、前壁部５ａと後壁部４１ａ，４ａの間隔は液晶パネル２の厚さよりも大きくなっている。これにより、液晶パネル２が僅かに反っている場合であっても、液晶パネル２に応力を加えることなく、フロントフレーム５を支持フレーム４に取り付けることができる。なお、大型の液晶パネル２は、多くの場合、僅かな反りを有しているので、液晶パネル２の外周部は部分的に、前壁部５ａ或いは後壁部４ａ，４１ａに当っている。その結果、支持フレーム４とフロントフレーム５とに対する液晶パネル２のがたつきは抑えられている。
【００２８】
上述したように、液晶パネル２の下縁２ａは支持部４１ｂによって支持されている。液晶パネル２の下縁２ａは、液晶パネル２に対して厚さ方向の力を作用させることなく、支持部４１ｂの上面に配置されている。本実施形態では、液晶パネル２の下縁２ａは支持部４１ｂの上面に貼り付けられている。すなわち、液晶パネル２の下方に向いた面（下縁２ａ）と支持部４１ｂの上面とが上下方向において取り付けられている。
【００２９】
この例では、支持部４１ｂの上面に液晶パネル２よりも大きな幅（厚さ方向の幅）を有する接着面が設けられ、液晶パネル２の下縁２ａは接着面上に配置されている。詳細には、支持部４１ｂ上には、両面（すなわち、上面及び下面）に接着面を有する薄い取付部材が配置されている。
【００３０】
具体的には、支持部４１ｂ上には接着テープ４５が配置されている。接着テープ４５の両面には接着剤が塗布されており、接着テープ４５の両面が接着面として機能している。接着テープ４５は支持部４１ｂの上面に貼り付けられ、液晶パネル２の下縁２ａは接着テープ４５上に配置され、接着テープ４５を介して支持部４１ｂの上面に貼り付けられている。
【００３１】
接着テープ４５は支持部４１ｂの幅に対応した幅を有している。詳細には、接着テープ４５の長さ方向に沿った一方の縁は後壁部４１ａに接している。他方の縁は支持部４１ｂの上面の縁よりも僅かに内方に位置している。
【００３２】
また、図３に示すように、支持部４１ｂの上面は、液晶パネル２の下縁２ａに沿った方向に細長い水平な面である。そのため、液晶パネル２の下縁２ａと支持部４１ｂの上面との間に広い接着領域を確保できている。ここでは、接着テープ４５が液晶パネル２の下縁２ａに沿った方向に細長い帯状となっている。
【００３３】
また、この例の接着テープ４５の長さは支持部４１ｂの上面の長さよりも長い。そのため、接着テープ４５の一方の端部は、支持部４１ｂを左右方向の外方（図３において右方向）に越えている。そして、接着テープ４５の端部は、支持部４１ｂの上面よりも低い上面４１ｃに貼り付けられている。その結果、接着テープ４５が剥がれ難くなっている。
【００３４】
接着テープ４５は柔軟性を有する材料によって形成され、その柔軟性によって、上面（液晶パネル２の下縁２ａが接着する面）の下面（支持部４１ｂに接着する面）に対する位置ずれが許容されている。すなわち、接着テープ４５の上面の位置は下面に対して水平方向（具体的には前後方向或いは左右方向）に僅かに動くことができる。接着テープ４５は、例えば、ウレタンフォーム、ポリエチレンフォーム、ビニルフォーム、スチレンフォームなどの薄い発泡体であり、柔軟性と弾性の双方を有している。その発泡体の両面に接着剤が塗布されている。
【００３５】
このため、液晶表示装置１の使用時の熱によって液晶パネル２が僅かに変形した場合、下縁２ａの位置の変化が許容される。その結果、液晶パネル２に応力が発生することを抑えることができ、熱によって液晶パネル２に僅かに変形した場合であっても色むらの発生を抑えることができる。
【００３６】
また、接着テープ４５は弾性も有しているので、液晶パネル２が外部から押された場合であっても、接着テープ４５は液晶パネル２の下縁２ａの位置を元に戻す力を発揮する。
【００３７】
なお、液晶パネル２の下縁２ａを支持部４１ｂの上面に貼り付ける方法は、以上説明したものに限られない。例えば、液晶パネル２の下縁２ａは接着剤によって直接的に支持部４１ｂの上面に貼り付けられてもよい。また、液晶パネル２の下縁２ａに接着剤が塗布され、或いは接着テープが貼り付けられていてもよい。また、液晶パネル２の下縁２ａが支持部４１ｂの上面に配置された後に支持部４１ｂの上面に供給される接着剤やペースト状の熱硬化性樹脂によって、下縁２ａは支持部４１ｂの上面に貼り付けられてもよい。
【００３８】
以上説明したように、液晶表示装置１では液晶パネル２の下縁２ａは支持部４１ｂの上面に貼り付けられている。
【００３９】
そのため、液晶パネル２の前面の最下部の右端又は左端が押された場合であっても、液晶パネル２の下縁２ａは支持部４１ｂの上面に対して位置ずれし難い。その結果、液晶パネル２の下縁２ａが支持部４１ｂの上面に対して動いた後に摩擦力によって支持部４１ｂの上面に引っ掛かるという事態が生じないので、表示面における色むらの発生が抑えられる。
【００４０】
また、液晶表示装置１の搬送過程などにおいて液晶表示装置１が振動したときに支持フレーム４やフロントフレーム５に対する液晶パネル２の相対位置が変化しないので、液晶パネル２に加わる衝撃を低減できる。その結果、液晶表示装置１の耐久性を向上できる。
【００４１】
さらに、液晶パネル２が反っている場合、その反りの程度によって支持部４１ｂの上面における下縁２ａの位置が変わる。下縁２ａを支持部４１ｂの上面に貼り付けているので、液晶パネル２の反りに応じた位置に下縁２ａを固定することができる。
【００４２】
なお、本発明は以上説明した液晶表示装置１に限られず、種々の変更が可能である。
【００４３】
例えば、液晶パネル２の下縁２ａは支持部４１ｂに直接接着されることなく、柔軟性を有する弾性体と支持部４１ｂの上面に貼り付けられる接着面とを有する取付部材上に配置されてもよい。図４はこの形態に係る液晶表示装置の断面図である。同図では以上説明した箇所と同一箇所には同一符号が付されている。
【００４４】
図４では、液晶パネル２の下縁２ａは、接着テープ４５の発泡体よりも厚みのある低反発ウレタンフォームなどの発泡体（弾性体）を含む取付部材１４５上に配置されている。取付部材１４５は、例えば、平面視において上述の接着テープ４５と同等の形状を有し、且つ、接着テープ４５よりも大きな厚さを有している。取付部材１４５ではその片面（下面（接着面）にのみ接着剤が塗布され、当該片面は支持部４１ｂに貼り付けられている。取付部材１４５の発泡体はその厚さ方向の柔軟性及び弾性を有しているので、液晶パネル２が、その自重によって取付部材１４５に沈み込むように配置される。そして、液晶パネル２と前壁部５ａの間に入り込んだ発泡体１４５ａと、液晶パネル２と後壁部４１ａの間に入り込んだ発泡体１４５ｂとによって、液晶パネル２が挟持された状態となる。これにより、液晶パネル２の移動が規制され、仮に液晶パネル２に外圧が掛った場合であっても発泡体の復元力によって、液晶パネル２を元の位置に戻すことができる。
【００４５】
また、以上の説明した液晶表示装置１では、接着テープ４５は柔軟性及び弾性を有する発泡体によって形成されていた。しかしながら、接着テープ４５はポリエチレンテレフタラートなど比較的堅い材料によって形成されていてもよい。
【００４６】
また、以上の説明では、支持フレーム４の支持部４１ｂは、下辺部４１の両端部に設けられていた。しかしながら、支持部４１ｂの位置はこれに限られない。例えば、支持部４１ｂは、端部よりも中心寄りの位置に設けられてもよい。
【符号の説明】
【００４７】
１  液晶表示装置、２  液晶パネル、２ａ  下縁、３  バックライトユニット、４  支持フレーム、４ａ  後壁部、４ｂ  外壁部、５  フロントフレーム、５ａ  前壁部、５ｂ  外壁部、２１  基板、２２  液晶、２３  偏光フィルタ、３１  反射シート、３２  拡散板、３３  光学シート、３４  下フレーム、４１  下辺部、４１ａ  後壁部、４１ｂ  支持部、４２  上辺部、４３  右辺部、４４  左辺部、４５  接着テープ、４６  クッション、５１  クッション、１４５  取付部材。
【図１】
0005558267.tif 000002
【図２】
0005558267.tif 000003
【図３】
0005558267.tif 000004
【図４】
0005558267.tif 000005